(57)【要約】【課題】本考案は、ハードディスクとインターフェースカード収容空間の変換が可能なパソコンケースを提供する。【解決手段】ケースフレームと、光学ドライブベイと、第一ハードディスクドライブベイと、第二ハードディスクドライブベイと、少なくとも一つの着脱式ハードディスクドライブベイとによって構成する。ケース内部の長さは３００ｍｍ以上４８０ｍｍ以下の範囲に限定される。光学ドライブベイは、収容空間における前側板の近くの位置に設けられ、第一ハードディスクドライブベイは、収容空間の光学ドライブベイの底面に固定して設けられ、第二ハードディスクドライブベイは、収容空間の底板上に固定して設けられる。着脱式ハードディスクドライブベイは、ケースフレーム内における前側板に近接した位置に取り付けられるとともに、複数のインターフェースカードが挿入された際に延伸する方向に配置される。【選択図】図２
0003161209.tif 000002
【実用新案登録請求の範囲】
【請求項１】
ケースフレームと、光学ドライブベイと、第一ハードディスクドライブベイと、第二ハードディスクドライブベイと、少なくとも一つの着脱式ハードディスクドライブベイとによって構成するハードディスクとインターフェースカード収容空間の変換が可能なパソコンケースにおいて、
ケースフレームの内部におけるマザーボードのＩ／Ｏポートからマザーボードの反対側までの長さはケース内部の長さに等しく、ケース内部の長さは３００ｍｍ以上４８０ｍｍ以下の範囲に限定され、ケースフレームには、前側板と、後側板と、左側板と、右側板と、頂板と、底板と、収容空間と、複数のインターフェースカードスロットとが設けられ、複数のインターフェースカードスロットは、ケースフレームの後側板に設けられ、
光学ドライブベイは、収容空間における前側板の近くの位置に設けられ、
第一ハードディスクドライブベイは、収容空間の光学ドライブベイの底面に固定して設けられ、第二ハードディスクドライブベイは、収容空間の底板上に固定して設けられるとともに、第一ハードディスクドライブベイの真下に配置され  第一ハードディスクドライブベイ及び第二ハードディスクドライブベイは、複数のハードディスクを固定して収納する空間を提供し、
着脱式ハードディスクドライブベイは、ケースフレーム内における前側板に近接した位置に取り付けられるとともに、複数のインターフェースカードが挿入された際に延伸する方向に配置され、高性能の長いインターフェースカードが必要な時、着脱式ハードディスクドライブベイはケースフレームから取り外され、ハードディスク収容空間から長いインターフェースカード収容空間に変換されるとともに、高性能の長いインターフェースカードが取り付けられるという、交換の柔軟性が高い構造になっており、それにより、このパソコンケースは、高性能で長いインターフェースカードを使用したパソコン、或いは複数のハードディスクドライブ（Ｈａｒｄ  ｄｒｉｖｅ）をもつパソコンに適用されることを特徴とする、ハードディスクとインターフェースカード収容空間の変換が可能なパソコンケース。
【請求項２】
前記ケースフレームの前側板における第一ハードディスクドライブベイ、着脱式ハードディスクドライブベイ、第二ハードディスクドライブベイに対応する位置に、二組のＬ形内折部が折り曲げて設けられ、Ｌ形内折部は、第一ハードディスクドライブベイ、着脱式ハードディスクドライブベイ、第二ハードディスクドライブベイの適切な位置に固定され、それによりケースフレームの剛性と強度が向上することを特徴とする、請求項１に記載のハードディスクとインターフェースカード収容空間の変換が可能なパソコンケース。
【考案の詳細な説明】
【技術分野】
【０００１】
本考案はパソコンケースに関し、特に、高性能で長いインターフェースカードを使用したパソコン、或いは複数のハードディスクドライブをもつパソコンのいずれにも適用させることが可能なパソコンケースに関する。
【背景技術】
【０００２】
パソコンは、今や我々の生活に欠かすことのできないツールになっている。その性能が進歩するにつれ、消費者は、マザーボード内の機能だけでは満足しなくなり、グラフィックカード、サウンドカード等の各種インターフェースカードを増設して、パソコンの性能を更に高めている。しかしながら、性能を追求していくと、インターフェースカードの構造も複雑になっていき、複雑な構造の電気回路にはより大きな放熱構造が必要になり、インターフェースカードの体積が大きくなるとともに長さも長くなる。図１に示すように、従来のパソコンケースは、インターフェースカードスロット１と、固定式のハードディスクドライブベイ２をもち、両者の間の距離Ｔは約２８０ｍｍである。高性能の長いインターフェースカード３は、その長さＬが３４２ｍｍに達するため、固定式のハードディスクドライブベイ２に邪魔されて取り付けることができない。これを解決するために、ケースを大きくした場合、コストが必然的に高くなる上、体積も大きくなり消費者に受け入れられなくなる。
【考案の概要】
【考案が解決しようとする課題】
【０００３】
以上の問題点に鑑み、本考案は、ハードディスクとインターフェースカード収容空間の変換が可能なパソコンケースを提供することを目的とする。
【課題を解決するための手段】
【０００４】
本考案によるハードディスクとインターフェースカード収容空間の変換が可能なパソコンケースは、ケースフレームと、光学ドライブベイと、第一ハードディスクドライブベイと、第二ハードディスクドライブベイと、少なくとも一つの着脱式ハードディスクドライブベイとによって構成する。ケースフレームの内部におけるマザーボードのＩ／Ｏポートからマザーボードの反対側までの長さはケース内部の長さに等しく、ケース内部の長さは３００ｍｍ以上４８０ｍｍ以下の範囲に限定される。ケースフレームには、前側板と、後側板と、左側板と、右側板と、頂板と、底板と、収容空間と、複数のインターフェースカードスロットとが設けられ、複数のインターフェースカードスロットは、ケースフレームの後側板に設けられる。光学ドライブベイは、収容空間における前側板の近くの位置に設けられ、第一ハードディスクドライブベイは、収容空間の光学ドライブベイの底面に固定して設けられ、第二ハードディスクドライブベイは、収容空間の底板上に固定して設けられるとともに、第一ハードディスクドライブベイの真下に配置され  第一ハードディスクドライブベイ及び第二ハードディスクドライブベイは、複数のハードディスクを固定して収納する空間を提供する。着脱式ハードディスクドライブベイは、ケースフレーム内における前側板に近接した位置に取り付けられるとともに、複数のインターフェースカードが挿入された際に延伸する方向に配置され、高性能の長いインターフェースカードが必要な時、着脱式ハードディスクドライブベイはケースフレームから取り外され、ハードディスク収容空間から長いインターフェースカード収容空間に変換されるとともに、高性能の長いインターフェースカードが取り付けられる構造になっているため、ケースフレームの交換の柔軟性が高く、それにより、ケースフレームは、高性能で長いインターフェースカードを使用したパソコン、或いは複数のハードディスクドライブ（Ｈａｒｄ  ｄｒｉｖｅ）をもつパソコンに適用される。
【考案の効果】
【０００５】
従来の長さが３００ｍｍから４８０ｍｍのパソコンケースには短いインターフェースカードしか取り付けることができず、高性能の長いインターフェースカードが必要な場合は大型のパソコンケースに交換する必要があるため、体積が大きすぎる上、コストがかかり、消費者に受け入れられづらかったが、本考案によるハードディスクとインターフェースカード収容空間の変換が可能なパソコンケースは、長さが３００ｍｍから４８０ｍｍのパソコンケースを、高性能で長いインターフェースカードを必要とするパソコンと、複数のハードディスクドライブを必要とするパソコンのいずれにも適用させることができ、パソコンの体積も従来と比べ小さくすることができるとともに、コストも下げることができる。
【図面の簡単な説明】
【０００６】
【図１】従来のパソコンケースを示した平面図である。
【図２】本考案の実施例１を示した斜視図である。
【図３】本考案の実施例１を示した分解斜視図である。
【図４】本考案の実施例１にインターフェースカードを取り付けた状態を示した斜視図である。
【図５】本考案の実施例１の補強状態を示した斜視図である。
【図６】本考案の実施例２を示した斜視図である。
【図７】本考案の実施例２にインターフェースカードを取り付けた状態を示した斜視図である。
【図８】本考案のパソコンケースを示した平面図である。
【考案を実施するための形態】
【０００７】
（実施例１及び実施例２）
図２から図４は、本考案の実施例１による高いケースを示した図であり、図６、図７は、本考案の実施例２による低いケースを示した図である。本考案によるハードディスクとインターフェースカード収容空間の変換が可能なパソコンケースは、ケースフレーム１０と、光学ドライブベイ２０と、第一ハードディスクドライブベイ３０と、第二ハードディスクドライブベイ４０と、少なくとも一つの着脱式ハードディスクドライブベイ５０とによって構成する。
【０００８】
ケースフレーム１０の内部におけるマザーボードのＩ／Ｏポートからマザーボードの反対側までの長さはケース内部の長さＬ１（図８に図示）に等しく、ケース内部の長さＬ１は、３００ｍｍ以上４８０ｍｍ以下の範囲に限定される。ケースフレーム１０には、前側板１１と、後側板１２と、左側板１３と、右側板１４と、頂板１５と、底板１６と、収容空間１７と、複数のインターフェースカードスロット１８とが設けられ、複数のインターフェースカードスロット１８は、ケースフレーム１０の後側板１２に設けられる。
【０００９】
光学ドライブベイ２０は、収容空間１７における前側板１１の近くの位置に設けられるとともに、頂板１５の底面に固定される。
【００１０】
第一ハードディスクドライブベイ３０は、収容空間１７における光学ドライブベイ２０底面に固定して設けられ、第二ハードディスクドライブベイ４０は、収容空間１７の底板１６上に固定して設けられるとともに、第一ハードディスクドライブベイ３０の真下に配置され、第一ハードディスクドライブベイ３０及び第二ハードディスクドライブベイ４０は、複数のハードディスク３１を固定して収納する空間を提供する。
【００１１】
着脱式ハードディスクドライブベイ５０は、ケースフレーム１０における前側板１１に近接した第一、第一二ハードディスクドライブベイ３０、４０の中間に取り付けられ、着脱式ハードディスクドライブベイ５０は、複数のハードディスク３１を固定して収納する空間を提供する。着脱式ハードディスクドライブベイ５０は、複数のインターフェースカードが挿入された際に延伸する方向に配置され、高性能の長いインターフェースカード６０が必要な時、着脱式ハードディスクドライブベイ５０をケースフレーム１０から取り外すことで、ハードディスク収容空間から長いインターフェースカード収容空間に変換させることができるとともに、取り外し後に形成される空間５１には高性能の長いインターフェースカード６０を取り付けることができる。それにより、ケースフレーム１０の交換の柔軟性を高め、ケースフレーム１０は、高性能で長いインターフェースカードを使用したパソコン、或いは複数のハードディスクドライブ（Ｈａｒｄ  ｄｒｉｖｅ）をもつパソコンに適用することができる。
【００１２】
図５に示すように、ケースフレーム１０の前側板１１における第一ハードディスクドライブベイ３０、着脱式ハードディスクドライブベイ５０、第二ハードディスクドライブベイ４０に対応する位置に、二組のＬ形内折部１１１、１１２が折り曲げて設けられる。Ｌ形内折部１１１、１１２は、第一ハードディスクドライブベイ３０、着脱式ハードディスクドライブベイ５０、第二ハードディスクドライブベイ４０の適切な位置に固定され、それによりケースフレーム１０の剛性と強度が向上する。
【００１３】
上述のように、本考案は、収容空間１７の内部の長さが３００ｍｍ以上４８０ｍｍ以内のパソコンケースに、着脱式ハードディスクドライブベイ５０及び取り外し後に形成される空間５１が設けられ、取り外し後に形成される空間５１は、インターフェースカードが挿入された際に延伸する方向に位置し、ハードディスク収容空間から長いインターフェースカード収容空間に変換させることができる。
【００１４】
本考案は以下の二つの効果をもつ。
１、本考案によるハードディスクとインターフェースカード収容空間の変換が可能なパソコンケースは、収容空間の内部の長さが３００ｍｍから４８０ｍｍのパソコンケースであり、このパソコンケースは、高性能で長いインターフェースカードを使用したパソコン、或いは複数のハードディスクドライブ（Ｈａｒｄ  ｄｒｉｖｅ）をもつパソコンに適用させることができる。
【００１５】
２、本考案によるハードディスクとインターフェースカード収容空間の変換が可能なパソコンケースは、収容空間の内部の長さが３００ｍｍから４８０ｍｍのパソコンケースであり、その内部におけるインターフェースカードが挿入された際に延伸する方向に着脱式ハードディスクドライブベイが設けられ、それを高性能で長いインターフェースカードに変更したい場合は、着脱式ハードディスクドライブベイを取り外すことで、ハードディスク収容空間から長いインターフェースカード収容空間に変換させて高性能の長いインターフェースカードを取り付けることができ、パソコンの性能を向上させることができる。
【符号の説明】
【００１６】
１    インターフェースカードスロット        
２    ハードディスクドライブベイ
３    高性能の長いインターフェースカード
Ｔ    距離            
Ｌ    長さ
１０    ケースフレーム          
１１    前側板
１１１  Ｌ形内折部      
１１２  Ｌ形内折部
１２    後側板            
１３    左側板
１４    右側板            
１５    頂板
１６    底板              
１７    収容空間
１８    インターフェースカードスロット          
２０    光学ドライブベイ
３０    第一ハードディスクドライブベイ    
３１    ハードディスク
４０    第二ハードディスクドライブベイ
５０    着脱式ハードディスクドライブベイ
５１    取り外し後に形成される空間
６０    高性能の長いインターフェースカード
Ｌ１    ケース内部の長さ
【図１】
0003161209.tif 000003
【図２】
0003161209.tif 000004
【図３】
0003161209.tif 000005
【図４】
0003161209.tif 000006
【図５】
0003161209.tif 000007
【図６】
0003161209.tif 000008
【図７】
0003161209.tif 000009
【図８】
0003161209.tif 000010